(57)【要約】【課題】この発明は、異種の挿入部の交換装着を実現し得ようにして、使い勝手の向上を図り得るようにすることにある。【解決手段】第１及び第２の挿入部２０，３０が装着される操作部１を有する内視鏡本体１０に、この第１及び第２の挿入部２０，３０に内装する第１及び第２の光伝送体２１，３１、第１及び第２のチャンネル２２，３２の径以上の光伝送路１１、チャンネル１２を内装し、この内視鏡本体１０に対して第１及び第２の挿入部２０，３０を交換式に装着するように構成した。【選択図】      図１
2006116131.tif 000002
【特許請求の範囲】
【請求項１】
体腔内に挿入され、後端部に内装体の接続部が設けられた挿入部と、
前記挿入部の内装体の接続部が着脱自在に装着される、該挿入部の内装体の径以上の径を有する内装体の接続部が設けられた前記挿入部を作動操作する操作部を有した内視鏡本体と、
を具備することを特徴とする内視鏡装置。
【請求項２】
前記挿入部の接続部が前記内視鏡本体の接続部に装着された状態で相互間を結合する結合機構を備えること特徴とする請求項１記載の内視鏡装置。
【請求項３】
前記内視鏡本体の接続部には、内装体の径以下の内装体の設けられる接続部を有した仕様の異なる挿入部が交換式に着脱されることを特徴とする請求項１又は２記載の内視鏡装置。
【請求項４】
前記内装体は、光伝送路であることを特徴とする請求項１乃至３のいずれか記載の内視鏡装置。
【請求項５】
前記内装体は、チャンネルであり、前記挿入部の接続部に前記内視鏡本体の接続部のチャンネルに連結される結合部を設けたことを特徴とする請求項１乃至３のいずれか記載の内視鏡装置。
【請求項６】
体腔内に挿入され、後端部に内装体の複数の電気接点が並設された接続部が設けられた挿入部と、
前記挿入部の接続部が装着され、該接続部の複数の電気接点が着脱自在に接続される該複数の電気接点の接点数以上の電気接点が並設される接続部を設けた前記挿入部を作動操作する内視鏡本体と、
を具備することを特徴とする内視鏡装置。
【請求項７】
前記挿入部の接続部が前記内視鏡本体の接続部に装着された状態で相互間を結合する結合機構を備えること特徴とする請求項７記載の内視鏡装置。
【請求項８】
前記内視鏡本体の接続部には、その電気接点の接点数以下の電気接点を配した接続部を有する仕様の異なる挿入部が交換式に着脱されることを特徴とする請求項７又は８記載の内視鏡装置。
【発明の詳細な説明】
【技術分野】
【０００１】
この発明は、例えば生体臓器等の内部を観察したり、術部の処置に供される内視鏡装置に関する。
【背景技術】
【０００２】
一般に、内視鏡装置においては、生体臓器内等に挿入される挿入部が内視鏡本体に装着され、内視鏡本体に配された操作部を操作して挿入部を操作することにより、所望の処置等が行われている。この挿入部は、その先端に対物部を配した可撓部が設けられ、内視鏡本体を構成する操作部にロックカバーを介して分離可能に組付けられる（例えば、特許文献１参照。）。このような挿入部は、例えば生体臓器等に挿入されて、その対物部を介して所定部を照明すると共に、その光学像を取り込んで撮像部で光学像を電気信号に変換し、その電気信号を操作部側に伝送して表示画像として取得する。
【０００３】
ところで、このような内視鏡装置は、通常、挿入部と内視鏡本体との関係が一対一の関係を有しており、観察・処置形態に応じた多数の内視鏡構造のものを用意しておいて、処置形態に応じて、最適な内視鏡構造のものを選択して使用に供する方法が採られている。そして、観察や処置に供した内視鏡装置は、使用後、その挿入部が、洗浄、消毒、滅菌処理されて、次回の使用に供される。
【特許文献１】特開２００１−２５８８１８号公報
【発明の開示】
【発明が解決しようとする課題】
【０００４】
しかしながら、上記内視鏡装置では、観察・処置形態に応じた数だけ用意して置かなければならないために、その保管管理が面倒であり、その使い勝手が劣るという問題を有する。
【０００５】
この発明は上記の事情に鑑みてなされたもので、簡易な構成で、異種の挿入部の交換装着を実現し得ようにして、使い勝手の向上を図り得るようにした内視鏡装置を提供することを目的とする。
【課題を解決するための手段】
【０００６】
この発明は、体腔内に挿入され、後端部に内装体の接続部が設けられた挿入部と、前記挿入部の内装体の接続部が着脱自在に装着される、該挿入部の内装体の径以上の径を有する内装体の接続部が設けられた前記挿入部を作動操作する操作部を有した内視鏡本体とを備えて内視鏡装置を構成した。
【０００７】
上記構成によれば、挿入部には、内視鏡本体に配される内装体の径以下の径を有する内装体を配していることにより、内装体の機能を損なうことなく、内視鏡本体の接続部への確実な着脱が可能となる。従って、仕様が異なる異種の挿入部においても、内視鏡本体の接続部への着脱が可能となり、内視鏡本体の援用化が図れて、使い勝手の向上が図れる。
【０００８】
また、この発明は、体腔内に挿入され、後端部に内装体の複数の電気接点が並設された接続部が設けられた挿入部と、前記挿入部の接続部が装着され、該接続部の複数の電気接点が着脱自在に接続される該複数の電気接点の接点数以上の電気接点が並設される接続部を設けた前記挿入部を作動操作する内視鏡本体とを備えて内視鏡装置を構成した。
【０００９】
上記構成によれば、挿入部には、内視鏡本体に配される接続部の電気接点の接点数以下の接点数を有する接続部を配していることにより、内視鏡本体の接続部への確実な着脱が可能となる。従って、接点数の異なる電気接点を有する仕様が異なる異種の挿入部においても、内視鏡本体の接続部への着脱が可能となり、内視鏡本体の援用化が図れて、使い勝手の向上が図れる。
【発明の効果】
【００１０】
以上述べたように、この発明によれば、簡易な構成で、異種の挿入部の交換装着を実現し得ようにして、使い勝手の向上を図り得るようにした内視鏡装置を提供することができる。
【発明を実施するための最良の形態】
【００１１】
以下、この発明の実施の形態について、図面を参照して詳細に説明する。
【００１２】
図１は、この発明の一実施の形態に係る内視鏡装置を示すもので、内視鏡本体１０には、仕様の異なる、例えば図示しない臓器に挿入される異種の第１及び第２の挿入部２０，３０（図２及び図３、図４及び図５参照）が交換式に装着される。
【００１３】
この内視鏡本体１０には、図２乃至図５に示すようにその先端に接続部を構成する第１乃至第３の嵌合穴１０１〜１０３が設けられ、これら第１乃至第３の嵌合穴１０１〜１０３には、内装体である照明光伝送用ライトガイドファイバーと称する光伝送路１１、チャンネル１２及び接続ケーブル１３の先端部が光伝送路用口金１１１、チャンネル用口金１２１及び接続コネクタ１３１を介して取付けられる。そして、この内視鏡本体１０には、その第１乃至第３の嵌合穴１０１〜１０３に周囲に結合機構を構成する結合凹部１０４及び案内凹部１０５が設けられる。
【００１４】
上記第１及び第２の挿入部２０，３０は、それぞれ先端部２０１，３０１、湾曲部２０２，３０２及び軟性管部２０３，３０３が連接されて構成され、内装体として、仕様の異なる第１及び第２の光伝送路２１，３１、第１及び第２のチャンネル２２，３２、第１及び第２の接続ケーブル２３，３３が内装される。
【００１５】
これら第１及び第２の光伝送路２１，３１、第１及び第２のチャンネル２２，３２は、第１の挿入部２０に内装される第１の光伝送路２１及び第１のチャンネル２２の径（直径）が、第２の挿入部３０に内装される第２の光伝送路３１及び第２のチャンネル３２の径（直径）に比して径大に形成され、その第２の光伝送路３１及び第２のチャンネル３２の径（直径）が内視鏡本体１０の光伝送路１１、チャンネル１２の径以下（図２及び図３においては、第１の光伝送路２１及び第１のチャンネル２２の径と同寸法）に設定される。即ち、内視鏡本体１０の光伝送路１１、チャンネル１２の径は、第１及び第２の挿入部２０，３０の第１及び第２の光伝送路２１，３１、第１及び第２のチャンネル２２，３２の各径以上に設定される。
【００１６】
ここで、上記内視鏡本体１０の光伝送路１１は、その単位面積当たりの本数が所定数に設定される。そして、上記第１及び第２の挿入部２０，３０の第１及び第２の光伝送路２１，３１は、その直径が上記内視鏡本体１０の光伝送路１１の直径以下で、単位面積当たりの本数が同数以下に設定される。
【００１７】
また、上記第１及び第２の接続ケーブル２３，３３は、その第１の接続ケーブル２３の芯線数が第２の接続ケーブル３３の芯線数より多く、内視鏡本体１０の接続ケーブル１３の芯線数以下（図２及び図３においては、第２の接続ケーブルの芯線数と同数）に設定される。この第１及び第２の接続ケーブル２３，３３は、第１及び第２の挿入部２０，３０に内装されて該第１及び第２の挿入部２０、３０の先端部２０１，３０１で取り込んだ光学像が結像される図示しない撮像部に電気的に接続される。
【００１８】
さらに、第１及び第２の挿入部２０，３０は、その基端に接続部２０４，３０４がそれぞれ設けられる。このうち第１の挿入部２０の接続部２０４には、光伝送用口金２１１、チャンネル用口金２２１及び接続コネクタ２３１が上記内視鏡本体１０の光伝送路用口金１１１、チャンネル用口金１２１及び接続コネクタ１３１に対応して設けられ、この光伝送用口金２１１、チャンネル用口金２２１及び接続コネクタ２３１には、上記第１の光伝送路２１、第１のチャンネル２２及び第１の接続ケーブル２３が取付けられる。この場合、第１の挿入部２０の接続コネクタ２３１は、その電気接点数が、例えば内視鏡本体１０の接続コネクタ１３１の電気接点数と同数となる。
【００１９】
他方の第２の挿入部３０の接続部３０４には、同様に光伝送用口金３１１、チャンネル用口金３２１及び接続コネクタ３３１が上記内視鏡本体１０の光伝送路用口金１１１、チャンネル用口金１２１及び接続コネクタ１３１に対応して設けられ、この光伝送用口金３１１、チャンネル用口金３２１及び接続コネクタ３３１には、上記第２の光伝送路３１、第２のチャンネル３２及び第２の接続ケーブル３３が取付けられる。このうちチャンネル用口金３２１には、その先端部に先端方向に幅広に傾斜されて内視鏡本体１０のチャンネル用口金１２１の内径と略同寸法の穴径となる変換用傾斜部３２２が形成される。そして、この第２の挿入部３０の接続コネクタ３３１は、その電気接点数が、例えば内視鏡本体１０の接続コネクタ１３１の電気接点数より少なくなる。
【００２０】
また、上記第１及び第２の挿入部２０，３０には、同様に結合機構を構成する弾性変形自在な結合部２０５，３０３及び結合用案内凸部２０６，３０６が上記内視鏡本体１０の結合凹部１０４及び案内凹部１０５に対向して設けられる。この結合部２０５，３０５及び結合用案内凸部２０６，３０６は、第１及び第２の挿入部２０，３０の各接続部２０４，３０４の光伝送用口金２１１，３１１、チャンネル用口金２２１，３２１、接続コネクタ２３１，３３１が内視鏡本体１０の光伝送路用口金１１１、チャンネル用口金１２１、接続コネクタ１３１に向けて押し込まれると、先ず案内凸部２０６，３０６が内視鏡本体１０の案内凹部１０５に案内されて同方向に移動され、結合部２０５，３０５がその弾性力により内視鏡本体１０の結合凹部１０４に弾性係合される。この状態で、第１及び第２の挿入部２０、３０は、内視鏡本体１０に位置決めされた状態で装着される。なお、結合部２０５，３０３は、硬性を有し、結合部２０５，３０３及び結合用案内凸部２０６，３０６が互いにねじ嵌合することにより結合機構を構成してもよい。
【００２１】
上記内視鏡本体１０には、例えば湾曲レバー等の配される操作部１が操作自在に設けられ、この操作部１の操作により、その接続部に装着された第１及び第２の挿入部２０，３０の湾曲部２０２，３０２を湾曲操作したり、第１及び第２の挿入部２０，３０の機能切り替え操作等が行われる。そして、この内視鏡本体１０の基端には、ユニバーサルコード２を介してライトガイドコネクタ３が接続される。このライトガイドコネクタ３には、光入力部４が設けられ、この光入力部４には、図示しない光源に接続される。また、ライトガイドコネクタ３には、ビデオコネクタ５がビデオケーブル６を介して接続され、このビデオコネクタ５には、図示しない表示モニターが接続される。
【００２２】
上記構成において、仕様の異なる第１及び第２の挿入部２０，３０は、交換式に接続部２０４，３０４の光伝送用口金２１１，３１１、チャンネル用口金２２１，３２１、接続コネクタ２３１，３３１を内視鏡本体１０の光伝送路用口金１１１、チャンネル用口金１２１及び接続コネクタ１３１に向けて押し込み操作する。すると、第１及び第２の挿入部２０，３０は、先ず案内凸部２０６，３０６が内視鏡本体１０の案内凹部１０５に挿入されて該案内凹部１０５に案内されて同方向に移動され、所定の位置まで侵入した状態で、結合部２０５，３０５がその弾性力により内視鏡本体１０の結合凹部１０４に弾性係合される。この状態で、第１及び第２の挿入部２０，３０は、内視鏡本体１０に位置決めされて装着される。
【００２３】
ここで、第１及び第２の挿入部２０，３０の各接続部２０４，３０４の光伝送用口金２１１，３１１、チャンネル用口金２２１，３２１、接続コネクタ２３１，３３１は、内視鏡本体１０の光伝送路用口金１１１、チャンネル用口金１２１、接続コネクタ１３１に結合されて装着が完了される。
【００２４】
この組付け状態において、内視鏡本体１０は、装着した第１あるいは第２の挿入部２０，３０に応じた所望の仕様形態での使用が可能に構成される。ここで、内視鏡本体１０は、その光伝送路１１１の直径及び単位面積当たりのファイバー本数が、第１及び第２の挿入部２０，３０の内装体である第１及び第２の光伝送路２１，３１の径以上及びその単位面積当たりのファイバー本数が多く設定してあることで、相互間の光学的な結合が高精度に行われる。同時に、チャンネル１２は、その径が第１及び第２の挿入部２０，３０の第１及び第２のチャンネル２２，３２の径以上に設定されていることで、その結合状態において、例えば鉗子等の挿通に支障を来たすようなことがない。また、変換用傾斜部３２２が形成されていることで、例えば鉗子等の挿通がスムーズに行える。
【００２５】
ここで、内視鏡本体１０の接続コネクタ１３１は、第１の挿入部２０が装着された状態で、その電気接点の全てに第１の挿入部２０の接続コネクタ２３１の電気接点が接続され（図２及び図３参照）、第２の挿入部３０が装着された状態で、その電気接点の一部に該第２の挿入部３０の接続コネクタ３３１の電気接点が接続されない開放接点が存在される（図４及び図５参照）。
【００２６】
このように、上記内視鏡装置は、第１及び第２の挿入部２０，３０が装着される操作部１を有する内視鏡本体１０に、この第１及び第２の挿入部２０，３０に内装する第１及び第２の光伝送体２１，３１、第１及び第２のチャンネル２２，３２の径以上の光伝送路１１、チャンネル１２を内装し、この内視鏡本体１０に対して第１及び第２の挿入部２０，３０を交換式に装着するように構成した。
【００２７】
これによれば、第１及び第２の挿入部２０，３０には、内視鏡本体１０に配される光伝送路１１、チャンネル１２の径以下の第１及び第２の光伝送体２１，３１、第１及び第２のチャンネル２２，３２を配していることにより、仕様が異なる異種の第１及び第２の挿入部２０，３０においても、内視鏡本体１０の接続部への着脱が可能となる。この結果、内視鏡本体１０の援用化が図れて保管管理の軽減化が図れ、その使い勝手の向上が実現される。
【００２８】
また、第１及び第２の挿入部２０，３０には、内視鏡本体１０に配される接続コネクタ１３１の電気接点数以下の接点数を有する接続コネクタ２３１，３３１を配していることにより、仕様の異なる第１及び第２の挿入部２０，３０を交換式に内視鏡本体１０に装着することが可能となる。この結果、内視鏡本体１０の援用化が図れて保管管理の援用化が図れ、その使い勝手の向上が図れる
なお、この発明は上記実施の形態に限ることなく、例えば上記第２の挿入部３０の如く内視鏡本体１０の接続コネクタ１３１の電気接点数より、電気接点数が少ない接続コネクタ２３１を配する場合には、その接続コネクタ２３１に、接地部位（グランドライン）に接続したグランド接点を付加して、このグランド接点を、内視鏡本体１０の接続コネクタ１３１に装着した状態で、該接続コネクタ１３１の電気接点の開放接点に接続するように構成しても良い。このグランド接点を付加するように構成した場合には、内視鏡本体１０を含めて電気・磁気的安定性に促進を図ることが可能となり、さらに有効な効果が期待される。
【００２９】
また、上記実施の形態では、接続構造として、内視鏡本体１０に第１乃至第３の嵌合穴１０１〜１０３を設けて、第１及び第２の挿入部２０，３０に光伝送用口金２１１，３１１、チャンネル用口金２２１，３２１、接続コネクタ２３１，３３１を突出して配し、相互間の装着を行うように構成した場合について説明したが、これに限ることなく、第１及び第２の挿入部２０，３０の接続部２０４，３０４に嵌合穴を設けるように構成することも可能である。
【００３０】
さらに、上記実施の形態では、仕様の異なる２種類の第１及び第２の挿入部２０，３０を内視鏡本体１０に交換式に装着するように構成した場合を代表して説明したが、この数に限ることなく、さらに多くの挿入部を交換式に装着し得るように構成することも可能である。
【００３１】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３２】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００３３】
また、この発明は、上記各実施の形態によれば、次のような構成を得ることもできる。
【００３４】
（付記１）
体腔内に挿入され、後端部に内装体の接続部が設けられた挿入部と、
前記挿入部の内装体の接続部が着脱自在に装着される、該挿入部の内装体の径以上の径を有する内装体の接続部が設けられた前記挿入部を作動操作する操作部を有した内視鏡本体と、
を具備することを特徴とする内視鏡装置。
【００３５】
（付記２）
前記挿入部の接続部が前記内視鏡本体の接続部に装着された状態で相互間を結合する結合機構を備えることを特徴とする付記１記載の内視鏡装置。
【００３６】
（付記３）
前記内視鏡本体の接続部には、内装体の径以下の内装体の設けられる接続部を有した仕様の異なる挿入部が交換式に着脱されることを特徴とする付記１又は２記載の内視鏡装置。
【００３７】
（付記４）
前記内装体は、ライトガイドファイバーであることを特徴とする付記１乃至３のいずれか記載の内視鏡装置。
【００３８】
（付記５）
前記ライトガイドファイバーは、前記内視鏡本体の単位面積当たりの本数が、前記挿入部の単位面積当たりの本数より多く設定されることを特徴とする付記４記載の内視鏡装置。
【００３９】
（付記６）
前記内装体は、チャンネルであることを特徴とする付記１乃至３記載の内視鏡装置。
【００４０】
（付記７）
前記チャンネルには、前記挿入部の接続部に前記内視鏡本体の接続部の相互を連結する結合部が設けられることを特徴とする付記６記載の内視鏡装置。
【００４１】
（付記８）
体腔内に挿入され、後端部に内装体の複数の電気接点が並設された接続部が設けられた挿入部と、
前記挿入部の接続部が装着され、該接続部の複数の電気接点が着脱自在に接続される該複数の電気接点の接点数以上の電気接点が並設される接続部を設けた前記挿入部を作動操作する操作部を有した内視鏡本体と、
を具備することを特徴とする内視鏡装置。
【００４２】
（付記９）
前記挿入部の接続部が前記内視鏡本体の接続部に装着された状態で相互間を結合する結合機構を備えること特徴とする付記８記載の内視鏡装置。
【００４３】
（付記１０）
前記内装体は、撮像部に接続されるケーブルであり、前記接続部は、接続コネクタであることを特徴とする付記８又は９記載の内視鏡装置。
【００４４】
（付記１１）
前記内視鏡本体の接続部には、その電気接点の接点数以下の電気接点を配した接続部を有する仕様の異なる挿入部が交換式に着脱されることを特徴とする付記８乃至１０記載の内視鏡装置。
【００４５】
（付記１２）
前記挿入部の接続部には、前記複数の電気接点に加えて、前記内視鏡本体の接続部の複数の接点の開放接点に接続されるグランド接点を設け、このグランド接点を前記挿入部の接地部位に接続したことを特徴とする付記９乃至１１記載の内視鏡装置。
【図面の簡単な説明】
【００４６】
【図１】この発明の一実施の形態に係る内視鏡装置の構成を説明するために示した構成説明図である。
【図２】図１の第１の挿入部を内視鏡本体から分離させた分離状態を示した断面図である。
【図３】図１の第１の挿入部を内視鏡本体に装着した装着状態を示した断面図である。
【図４】図１の第２の挿入部を内視鏡本体から分離させた分離状態を示した断面図である。
【図５】図１の第２の挿入部を内視鏡本体に装着した装着状態を示した断面図である。
【符号の説明】
【００４７】
１…操作部、２…ユニバーサルコード、３…ライトガイドコネクタ、４…光入力部、５…ビデオコネクタ、６…ビデオケーブル、１０…内視鏡本体、１０１〜１０３…第１乃至第３の嵌合穴、１０４…結合凹部、１０５…案内凹部、１１…光伝送路、１１１…光伝送路用口金、１２…チャンネル、１２１…チャンネル用口金、１３…接続ケーブル、１３１…接続コネクタ、２０…第１の挿入部、３０…第２の挿入部、２０１，３０１…先端部、２０２，３０２…湾曲部、２０３，３０３…軟性管部、２０５，３０５…結合部、２０６，３０６…案内凸部、２１…第１の光伝送路、２１１…光伝送用口金、３１…第２の光伝送路、３１１…光伝送用口金、２２…第１のチャンネル、２２１…チャンネル用口金、３２…第２のチャンネル、３２１…チャンネル用口金、３２２…傾斜部、２３…第１の接続ケーブル、２３１…接続コネクタ、３３…第２の接続ケーブル、３３１…接続コネクタ。
【図１】
2006116131.tif 000003
【図２】
2006116131.tif 000004
【図３】
2006116131.tif 000005
【図４】
2006116131.tif 000006
【図５】
2006116131.tif 000007